(57)【要約】【課題】本発明は、メンテレスで酸素濃度の高い空気を就寝時に供給すること、また酸素濃度の高い空気を睡眠中に供給することによって、熟睡を提供することを課題とする。【解決手段】酸素富化膜を搭載した空気供給装置１０７と、枕１０８と、枕１０８内部に設けられ、空気供給装置１０７から供給される酸素濃度の高い空気を噴出する噴出部１１０と、空気供給装置と噴出部を連通する管１１１を備えたものである。【選択図】  図１
2004357750.tif 000002
【特許請求の範囲】
【請求項１】
酸素富化膜を搭載した酸素濃度の高い空気を供給する空気供給装置と、寝る時に使う枕と、前記枕の内部に設けられ、前記空気供給装置から供給される酸素豊富な空気を噴出する噴出部と、前記空気供給装置と前記噴出部とを連通する管からなる枕。
【請求項２】
噴出部は、枕の両面に吹出すように複数の噴出口を備えた請求項１記載の枕。
【請求項３】
噴出部は、枕内の複数の箇所に分割して設けられた請求項１、および請求項２記載の枕。
【請求項４】
噴出部は、ゴムやシリコン等の軟性材料で構成された請求項１、請求項２、および請求項３記載の枕。
【請求項５】
空気供給装置は、タイマーを備え、前記タイマーは空気の供給時間を制御する請求項１、請求項２、請求項３、および請求項４記載の枕。
【請求項６】
騒音を測定する騒音測定装置と、前記騒音測定装置で得られた騒音値に応じて空気供給装置の駆動を制御する制御装置を備えた請求項１、請求項２、請求項３、および請求項４記載の枕。
【発明の詳細な説明】
【０００１】
【発明の属する技術分野】
本発明は、睡眠時に酸素豊富な空気を供給する枕に関するものである。
【０００２】
【従来の技術】
従来のこの種の枕には、図６に示すように、酸素ボンベから供給された酸素を、枕内部に設けられた噴出部から噴出するものがあった（特許文献１参照）。
【０００３】
この構成について、図６を用いて説明する。
【０００４】
酸素は、酸素ボンベ１から枕２の内部に設けられた噴出部３に酸素供給管４を介して供給され、枕２の表面から酸素が噴出し、人体の呼吸によって人体内部に取り込まれるようになっていた。
【０００５】
【特許文献１】
特開２００３−４１２号公報
【０００６】
【発明が解決しようとする課題】
しかし、従来の枕では、酸素ボンベで酸素を供給するため、ボンベ内の酸素が無くなれば、空になったボンベを廃棄し、新たに酸素が充満されたボンベを購入し、設置しなければならず、手間が掛かっていた。
【０００７】
そこで、本発明では、酸素富化膜を搭載した酸素濃度の高い空気を供給する空気供給装置を設けることによって、熟睡を得て疲労回復を図ること、およびメンテレスで睡眠時に常時、酸素を供給することを課題とする。
【０００８】
【課題を解決するための手段】
上記第１の課題を解決するために、請求項１記載の枕は、酸素富化膜を搭載した酸素濃度の高い空気を供給する空気供給装置と、寝る時に使う枕と、枕の内部に設けられ、空気供給装置から供給される酸素豊富な空気を噴出する噴出部と、空気供給装置と前記噴出部とを連通する管とを備えたものである。
【０００９】
そして、睡眠時に酸素を供給して、熟睡を得て疲労回復を図ること、およびメンテレスで睡眠時に酸素を供給できる。
【００１０】
【発明の実施の形態】
請求項１記載の枕は、酸素富化膜を搭載した酸素濃度の高い空気を供給する空気供給装置と、寝る時に使う枕と、枕の内部に設けられ、空気供給装置から供給される酸素豊富な空気を噴出する噴出部と、空気供給装置と前記噴出部とを連通する管とを備えたものである。
【００１１】
そして、睡眠時に酸素を供給して、熟睡を得て疲労回復を図ること、およびメンテレスで睡眠時に酸素を供給できる。
【００１２】
請求項２記載の発明は、請求項１記載の枕において、噴出部は、枕の両面に吹出すように複数の噴出口を備えたものである。
【００１３】
そして、枕を上下逆様にしたとしても、必ず、設置時の枕の上方の面からは酸素濃度の高い空気を供給できるようにし、枕の設置の容易性が向上する。
【００１４】
請求項３記載の発明は、請求項１および請求項２記載の枕において、噴出部は、枕内の複数の箇所に分割して設けたものである。
【００１５】
よって、頭が噴出部に乗せることによって感じる違和感を抑制し、頭を枕に置く際の快適性が向上する。
【００１６】
請求項４記載の発明は、請求項１から３のいずれか１項記載の枕において、噴出部は、ゴムやシリコン等の軟性材料で構成されたものである。
【００１７】
これによって、さらに頭を枕に乗せた時の違和感を減少させることができる。
【００１８】
請求項５記載の発明は、請求項１から４のいずれか１項記載の枕において、空気供給装置は、タイマーを備えたものである。
【００１９】
そして、所定の時間だけ酸素濃度の高い空気を供給するようにすることができ、省エネを図ることができる。
【００２０】
請求項６記載の発明は、請求項１から４のいずれか１項記載の枕において、騒音を測定する騒音測定装置と、騒音測定装置で得られた騒音値に応じて空気供給装置の駆動を制御する制御装置を備えたものである。
【００２１】
そして、例えば、鼾の時だけ供給する空気の流量を多くするように制御するなどすることで、鼾の抑制や、無呼吸症候群に陥ることを回避させることができる。
【００２２】
【実施例】
（実施例１）
図１の枕の全体概略構成図を用いて説明する。
【００２３】
以下、同部材には、同番号を付し、詳細な説明は省略する。
【００２４】
酸素富化膜１０１を具備し、酸素富化膜１０１を挟んで一方に空気吸引口１０２と、他方に酸素濃度の高い空気を排出する排出口１０３を備えた密閉容器１０４と、密閉容器１０４の排出口１０３から酸素濃度の高い空気を吸い出すポンプ１０５と、ポンプ１０５を駆動制御する制御装置１０６とから構成された空気供給装置１０７と、就寝時に頭を置く枕１０８と、枕１０８内に設けられ、空気供給装置１０７から供給された酸素濃度の高い空気を噴出する複数の噴出口１０９を備えた噴出部１１０と、空気供給装置１０７から噴出部１１０に酸素濃度の高い空気を送る管１１１から構成されている。
【００２５】
この構成において、制御装置１０６において駆動命令が入力された場合、ポンプ１０５を駆動させる。ポンプ１０５の駆動によって、密閉容器１０４内は負圧となり、空気は、空気吸引口１０２から密閉容器１０４内に入り、酸素富化膜１０１を通過することによって、酸素濃度が高い空気となる。酸素濃度が高くなった空気は、密閉容器１０４の排出口１０３からポンプ１０５に入り、管１１１を介して、枕１０８内に具備された噴出部１１０に供給され、噴出部１１０の噴出口１０９から枕１０８の内部に噴出され、枕１０８の内部を通って枕１０８の表面から酸素濃度の高い空気は噴出し、人体の呼吸によって、人体内部に供給されるようになる。
【００２６】
（実施例２）
図２の噴出部の全体概略構成図を用いて説明する。
【００２７】
実施例１と同部材には、同番号を付し、詳細な説明は省略する。
【００２８】
就寝時に高濃度の酸素を枕１０８を介して人体に供給する動作原理は、実施例１と同じであり、詳細な説明は省略する。
【００２９】
枕１０８内に設けられた噴出部１１０の高濃度の酸素の空気を噴出する噴出口１０９を、噴出部１１０の上面１１２と下面１１３の両面に同様に設けたことによって、枕１０８を上向きに置こうが、下向きに置こうが、同じように高濃度の酸素の空気を供給することができるようになり、枕１０８の設置の自由度を高めることができるようになる。
【００３０】
（実施例３）
図３の枕の全体概略構成図を用いて説明する。
【００３１】
実施例１と同部材には、同番号を付し、詳細な説明は省略する。
【００３２】
就寝時に高濃度の酸素を枕１０８を介して人体に供給する動作原理は、実施例１と同じであり、詳細な説明は省略する。
【００３３】
枕１０８内に設けた噴出部１１０を、左右２つに分割して設けることによって、頭を置く位置に噴出部１１０を設けないようにすることができ、枕１０８に頭を置いた時の違和感を減少させることができるようになる。
【００３４】
また、噴出部１１０を構成する部材をゴムやシリコンなどの軟性材料にすることによって、枕１０８に頭を置いた時の違和感を減少させることができるようになる。
【００３５】
なお、本実施例においては２つに分割したものを示したが、分割する数は使用者の寝心地を満足するために必要に応じて増加させてもよい。
【００３６】
（実施例４）
図４の枕の全体概略構成図を用いて説明する。
【００３７】
実施例１と同部材には、同番号を付し、詳細な説明は省略する。
【００３８】
空気供給装置１０７に、タイマー１１４を設ける。タイマーで設定した時間の間、制御装置１０６は、ポンプ１０５を駆動させる。
【００３９】
この構成において、タイマー１１４で設定した時間の間だけ、ポンプ１０５を駆動させるので、常時運転することがなくなり、省エネを図ることができるようになる。
【００４０】
（実施例５）
図５の枕の全体概略構成図を用いて説明する。
【００４１】
実施例１と同部材には、同番号を付し、詳細な説明は省略する。
【００４２】
就寝時の鼾等の騒音を測定する騒音測定装置１１５を設け、所定の騒音値より騒音が低くなった場合には、制御装置１０６は、ポンプ１０５の駆動を停止させる。
【００４３】
このことによって、鼾をかいている場合のみ酸素濃度の高い空気を供給し、呼吸を楽にさせることによって、就寝時の呼吸を楽にさせ、結果的には熟睡を提供することができるようになる。
【００４４】
【発明の効果】
本発明は以上に説明したような構成により、次のような効果を奏する。
【００４５】
請求項１に記載されている発明は、酸素富化膜を搭載した酸素濃度の高い空気を供給する空気供給装置を設けることによって、熟睡を得て疲労回復を図ること、およびメンテレスで睡眠時に常時、酸素を供給することができる。
【図面の簡単な説明】
【図１】本発明の実施例１の枕の全体概略構成図
【図２】本発明の実施例２の枕の噴出部の概略構成図
【図３】本発明の実施例３の枕の全体構成図
【図４】本発明の実施例４の枕の全体概略構成図
【図５】本発明の実施例５の枕の全体概略構成図
【図６】従来の枕の全体概略構成図
【符号の説明】
１０１  酸素富化膜
１０７  空気供給装置
１０８  枕
１０９  噴出口
１１０  噴出部
１１１  管
１１４  タイマー
１１５  騒音測定装置
【図１】
2004357750.tif 000003
【図２】
2004357750.tif 000004
【図３】
2004357750.tif 000005
【図４】
2004357750.tif 000006
【図５】
2004357750.tif 000007
【図６】
2004357750.tif 000008